(57)【要約】【課題】光入力パワーのモニタ精度を向上して、出力されるモニタ値の誤差を抑制することを課題とする。【解決手段】光送受信装置は、当該光送受信装置の調整時に基準電圧をＡ／Ｄ変換して出力されたＡ／Ｄ値を補正データとしてＥＥＰＲＯＭに記憶する。そして、光送受信装置は、接続される外部装置からモニタ値出力要求を受け付けた場合に、モニタ値出力要求を受け付けた時の基準電圧をＡ／Ｄ変換して出力されたＡ／Ｄ値とＥＥＰＲＯＭに記憶された補正データとの差分により変動量を算出する。続いて、光送受信装置は、算出された変動量を用いて、入力される光入力パワーの電流を電圧に変換して増幅させ、Ａ／Ｄ変換して出力されたＡ／Ｄ値を補正する。その後、光送受信装置は、補正されたＡ／Ｄ値をモニタ値として接続される外部装置に出力する。【選択図】        図１
2009290022.tif 000002
【特許請求の範囲】
【請求項１】
装置調整時に制御回路動作において基準となる電圧源を示す基準電圧源より得られた基準電圧のデジタル値を補正データとして記憶する補正データ記憶手段と、
前記装置調整後において、接続される外部装置からモニタ値出力要求を受け付けた場合に、前記基準電圧源から基準電圧を受け付けて、当該受け付けた基準電圧をデジタル値に変換する基準電圧変換手段と、
前記基準電圧変換手段によって変換された基準電圧のデジタル値と、前記補正データ記憶手段に記憶された補正データとの差分により出力特性の変動量を算出する変動量算出手段と、
前記変動量算出手段によって変動量が算出された場合に、入力された光の強度により増減する電流を電圧に変換して増幅させた電圧を受け付けて、デジタル値に変換する入力光電圧変換手段と、
前記入力光電圧変換手段によって変換された電圧のデジタル値と、前記変動量算出手段によって算出された変動量とに基づいて、前記入力光電圧変換手段によって変換された電圧のデジタル値を補正し、前記接続される外部装置にモニタ値として補正されたデジタル値を出力する出力手段と、
を備えたことを特徴とする光送受信装置。
【請求項２】
前記基準電圧は、入力された光の強度が、自装置におけるダイナミックレンジの下限値または下限値付近において、前記入力光電圧変換手段によって増幅された電圧相当の電圧を設定することを特徴とする請求項１に記載の光送受信装置。
【請求項３】
前記変動量算出手段は、前記基準電圧変換手段によって変換された基準電圧のデジタル値から、前記補正データ記憶手段に記憶された補正データを減算することにより出力特性の変動量を算出し、
前記出力手段は、前記変動量算出手段によって算出された変動量が正の場合に、前記入力光電圧変換手段によって変換された電圧のデジタル値から、前記変動量算出手段によって算出された変動量を減算して補正し、前記変動量算出手段によって算出された変動量が負の場合に、前記入力光電圧変換手段によって変換された電圧のデジタル値に、前記変動量算出手段によって算出された変動量を加算して補正して、前記接続される外部装置にモニタ値として補正されたデジタル値を出力することを特徴とする請求項１に記載の光送受信装置。
【発明の詳細な説明】
【技術分野】
【０００１】
本発明は、入力される光入力パワーをモニタして、モニタ値を出力する光送受信装置に関する。
【背景技術】
【０００２】
近年、急速に普及しているＩＰ（Internet  Protocol）を用いたインターネットトラフィックにおいては、伝送路に光ファイバ網を用いることによって、大容量のデータを送受信可能な伝送サービスが実現されつつある。
【０００３】
光ファイバ網における光信号の送受信を行う光送受信装置については、小型化、高密度化および光通信の安定供給などの目的によってＭＳＡ（Multi  Source  Agreement：業界標準）化が進められている。また、省スペースや形状などに関する業界標準としては、ＳＦＦ（Small  Form  Factor）やＳＦＰ（Small  Form  Factor  Pluggable）などがある。
【０００４】
そして、上記した業界標準を組み合わせたＳＦＰ‐ＭＳＡについては、光送受信装置の温度、電源電圧、ＬＤ（Laser  Diode）バイアス電流、出力パワー（送信部）および入力パワー（受信部）などをモニタして、デジタル値として出力するＤＤＭ（Digital  Diagnostic  Monitor）機能が定められている。
【０００５】
一般的に、光入力パワーのＤＤＭ機能は、受光素子ＰＤ（Photo  Diode）に流れる電流を検出して増幅し、Ａ／Ｄ変換によってデジタル値に変換して出力する。そして、ユーザは、出力された出力値を所定の算出式によって演算した結果に基づいて、受信部に入力された光の強度を確認することができる。
【０００６】
ここで、上記したＤＤＭ機能によってモニタ値を出力する光送受信装置の構成について、図６を用いて説明する。図６は、従来技術に係る光送受信装置の構成例を示す図である。図６に示すように、光送受信装置は、２ｗｉｒｅインタフェースで接続される装置（ユーザ回路）によって光強度の出力要求を受け付ける。そして、出力要求を受け付けた光送受信装置は、受光部に光入力パワーが入力されると、Ｉ／Ｖ変換部によってＰＤに流れる電流が検出され、当該電流を電圧に変換する。続いて、光送受信装置は、ＡＭＰで増幅された電圧をＡ／Ｄ変換部によってデジタル値に変換する。
【０００７】
その後、光送受信装置は、不揮発性メモリの一種であり、電気（電圧）の操作によってデータ消去／書き換えが可能であるＥＥＰＲＯＭ（Electrically  Erasable  and  Programmable  Read  Only  Memory）の所定エリアに記憶されているパラメタと、変換された値（モニタ値）とをユーザ回路に出力する。なお、ＥＥＰＲＯＭに記憶されているパラメタは、光送受信装置の製造時（調整時）に個別に設定されるものである。例えば、パラメタは、光送受信装置の調整時に、光入力パワーを複数回変更しつつ、Ａ／Ｄ変換して出力されたモニタ値の近似曲線を計算することによって求められる。
【０００８】
上記した近似曲線に基づいた光の強度の算出を具体的に説明すると、図７に示すように、光送受信装置の調整時に、Ａ／Ｄ変換して出力されたモニタ値を光入力（Ｗ）の入力条件として、（式１）のパラメタ（Ａ〜Ｅ）を算出してＥＥＰＲＯＭに設定しておく。そして、運用時には、図８に示すように、光受信装置によって出力されたモニタ値（Ａ／Ｄ変換の出力値（Ｘ））とパラメタ値とを（式１）に代入することで、光の強度（光入力パワー（Ｙ））が求められる。なお、図７は、従来技術に係る光入力パワーモニタの調整を説明するための図であり、図８は、従来技術に係る光入力パワーモニタの運用を説明するための図である。
【０００９】
【数１】
2009290022.tif 000003
【００１０】
ところが、モニタ機能は、ダイナミックレンジや精度などの要求がユーザ毎に異なるため、出力されるモニタ値の誤差を抑制することが必要である。そこで、光送受信装置によって出力されるモニタ値の誤差を抑制するための様々な技術が開示されている（例えば、特許文献１、特許文献２および特許文献３参照）。
【００１１】
【特許文献１】特開平１１−１８３２７３号公報
【特許文献２】特許第２５６０７４７号公報
【特許文献３】特開平７−４３２１１号公報
【発明の開示】
【発明が解決しようとする課題】
【００１２】
しかしながら、上記した従来の技術では、Ａ／Ｄ変換部のドリフトは考慮されていない。具体的には、光送受信装置は、当該光送受信装置の調整時と異なる温度環境である場合に、図９に示すように、各回路誤差の影響によってＡ／Ｄ値にばらつきが発生する。なお、図９は、従来技術に係るモニタ値の誤差を説明するための図である。
【００１３】
つまり、光送受信装置によって出力されたＡ／Ｄ値は、同一の光入力パワーであっても周囲の温度条件によって変動する。また、ＥＥＰＲＯＭに設定されたパラメタは、光送受信装置の調整時に設定された固定値であるために、出力されるＡ／Ｄ値が変動することによりモニタ誤差が発生する。そして、周囲環境によってモニタ誤差が発生する結果、モニタ精度が劣化してしまう。
【００１４】
また、モニタ誤差の要因としては、受光素子（ＰＤ）の駆動条件やＡＭＰおよびＡ／Ｄ変換の温度ドリフトなどがある。そして、特に、光入力パワーが小さい場合には、Ａ／Ｄ変換部の温度ドリフトや量子化誤差などの影響が大きくなるため、モニタ精度が劣化しやすく、さらに、ダイナミックレンジを広くする際の妨げとなってしまう。
【００１５】
そこで、本発明は、上述した従来技術の課題を解決するためになされたものであり、光入力パワーのモニタ精度を向上して、出力されるモニタ値の誤差を抑制することが可能である光送受信装置を提供することを目的とする。
【課題を解決するための手段】
【００１６】
上述した課題を解決し、目的を達成するため、本願の開示する光送受信装置は、装置調整時に制御回路動作において基準となる電圧源を示す基準電圧源より得られた基準電圧のデジタル値を補正データとして記憶する補正データ記憶手段と、前記装置調整後において、接続される外部装置からモニタ値出力要求を受け付けた場合に、前記基準電圧源から基準電圧を受け付けて、当該受け付けた基準電圧をデジタル値に変換する基準電圧変換手段と、前記基準電圧変換手段によって変換された基準電圧のデジタル値と、前記補正データ記憶手段に記憶された補正データとの差分により出力特性の変動量を算出する変動量算出手段と、前記変動量算出手段によって変動量が算出された場合に、入力された光の強度により増減する電流を電圧に変換して増幅させた電圧を受け付けて、デジタル値に変換する入力光電圧変換手段と、前記入力光電圧変換手段によって変換された電圧のデジタル値と、前記変動量算出手段によって算出された変動量とに基づいて、前記入力光電圧変換手段によって変換された電圧のデジタル値を補正し、前記接続される外部装置にモニタ値として補正されたデジタル値を出力する出力手段と、を備えたことを要件とする。
【発明の効果】
【００１７】
本願の開示する光送受信装置によれば、光入力パワーのモニタ精度を向上して、出力されるモニタ値の誤差を抑制するという効果を奏する。
【発明を実施するための最良の形態】
【００１８】
以下に添付図面を参照して、この発明に係る光送受信装置の実施例を詳細に説明する。なお、以下では、本発明に係る光送受信装置の概要、光送受信装置の構成および処理の流れを順に説明し、最後に本実施例による効果を説明する。
【実施例１】
【００１９】
［光送受信装置の概要］
最初に、図１を用いて、実施例１に係る光送受信装置の概要を説明する。図１は、実施例１に係る光送受信装置の概要を示す図である。
【００２０】
本願の開示する光送受信装置は、２ｗｉｒｅインタフェースによって接続されるユーザ回路からの光モジュールのモニタ値出力要求を受け付けて、当該光送受信装置に入力された光入力パワーのモニタ値を出力する。
【００２１】
そして、光送受信装置は、図１に示すように、補正データを記憶する記憶部（メモリ）と、入力される光入力を受信する受光部と、電流を電圧に変換するＩ／Ｖ変換部と、電圧を増幅する増幅部と、接続の切り替えを行う切替部と、Ａ／Ｄ変換（アナログ／デジタル変換）を行うＡ／Ｄ変換部と、モニタ値の誤差を補正する補正処理部とを有する。
【００２２】
このような構成において、光送受信装置は、入力される光入力パワーをモニタしてモニタ値を出力することを概要とするものであり、特に、光入力パワーのモニタ精度を向上して、出力されるモニタ値の誤差を抑制する。
【００２３】
具体的に説明すると、光送受信装置は、当該光送受信装置の調整時に出力された出力値を補正データとして記憶する。例えば、光送受信装置は、当該光送受信装置の調整時に、制御回路動作において基準となる電圧源を示す基準電圧源をＡ／Ｄ変換し、出力された出力値「１２０」を補正データとして予め所定のメモリに記憶する。
【００２４】
なお、所定のメモリに記憶される補正データは、基準となる値を必要とするため、温度変化の少ない安定した環境において取得される。また、基準電圧は、周囲環境やＡ／Ｄ変換部などに起因するモニタ値の変動を補正するための補正データであるため、例えば、光送受信装置に入力される光入力パワーが当該光送受信装置仕様の最小値付近の増幅器出力相当の値に設定される。また、所定のメモリは、ユーザ回路において必要となる計算のパラメタも記憶している。
【００２５】
このような状態において、光送受信装置は、装置調整後において、接続される外部装置からモニタ値出力要求を受け付けた場合に、基準電圧を受け付けて、受け付けた基準電圧をデジタル値に変換する（図１の（１）参照）。
【００２６】
具体的に説明すると、光送受信装置は、所定のメモリに補正データを格納した後に、接続されるユーザ回路からモニタ値出力要求を受け付けた場合に、基準電圧源側に接続するように、切替部の接続を切り替える。そして、光送受信装置は、切り替えて接続された基準電圧を受け付けて、Ａ／Ｄ変換部でデジタル値「１２１」にＡ／Ｄ変換する。
【００２７】
そして、光送受信装置は、変換された基準電圧のデジタル値と、所定のメモリに記憶された補正データとの差分により出力特性の変動量を算出する（図１の（２）参照）。
【００２８】
上記した例で具体的に説明すると、光送受信装置は、基準電圧がデジタル値「１２１」にＡ／Ｄ変換されると、メモリに記憶された補正データ「１２０」を補正処理部により取得する。そして、光送受信装置は、Ａ／Ｄ変換された基準電圧のデジタル値「１２１」と、取得された補正データ「１２０」との差分（基準電圧から補正データを減算）により出力特性の変動量「１」を補正処理部により算出する。
【００２９】
続いて、光送受信装置は、変動量が算出された場合に、入力された光の強度により増減する電流を電圧に変換して増幅させた電圧を受け付けて、デジタル値に変換する（図１の（３）参照）。
【００３０】
上記した例で具体的に説明すると、光送受信装置は、基準電圧と補正データとに基づいて変動量が算出されると、基準電圧源から受光素子（ＰＤ：Photo  Diode）側に接続するように、接続部の接続を切り替える。そして、光送受信装置は、受光部に入力された光の強度により増減するＰＤ電流をＩ／Ｖ変換部で電圧に変換し、増幅部で増幅させる。増幅された電圧を受け付けた光送受信装置は、当該電圧をＡ／Ｄ変換部でデジタル値「１５０」にＡ／Ｄ変換する。
【００３１】
その後、光送受信装置は、変換された電圧のデジタル値と、算出された変動量とに基づいて、変換された電圧のデジタル値を補正し、接続される外部装置にモニタ値として補正されたデジタル値を出力する（図１の（４）参照）。
【００３２】
上記した例で具体的に説明すると、光送受信装置は、Ａ／Ｄ変換された受光素子側の電圧のデジタル値「１５０」と、算出された基準電圧源側の変動量「１」とに基づいて、Ａ／Ｄ変換された受光素子側の電圧のデジタル値を補正して「１４９」を算出する。そして、光送受信装置は、補正された受光素子側の電圧のデジタル値「１４９」をモニタ値として、計算パラメタとともに接続されるユーザ回路に出力する。なお、補正されたモニタ値を受け付けたユーザ回路は、光送受信装置によって出力されたモニタ値に基づいて、ユーザに光の強度を提示したり、光の接続状況を把握して接続を制御したりする。つまり、光送受信装置は、基準電圧源側において「１」だけ多く出力されたことを利用して、出力するモニタ値を「１」減算して得られた補正値「１４９」をモニタ値として出力する。
【００３３】
上記したように、実施例１に係る光送受信装置は、当該光送受信装置の調整時に基準電圧から取得した出力値を補正データとして予め保持し、接続されるユーザ回路によってモニタ値の出力要求を受け付けた場合に、基準電圧の出力値を取得し、取得された基準電圧と、予め保持している補正データとの差分により、基準電圧における変動量を算出し、算出された変動量と、光送受信装置に入力された光入力パワーのＡ／Ｄ値とに基づいて、Ａ／Ｄ値を補正してモニタ値を出力するので、光入力パワーのモニタ精度を向上して、出力されるモニタ値の誤差を抑制することが可能である。
【００３４】
つまり、光送受信装置は、当該光送受信装置の調整時に基準電圧から取得された出力値と、接続されるユーザ回路によってモニタ値の出力要求を受け付けた時の基準電圧の出力値との変動量を、出力する光入力パワーのモニタ値の誤差補正に利用する。そのため、光送受信装置は、補正データとなる基準電圧を取得した時と温度条件が異なる場合でも、出力される値の周囲環境による誤差を補正することができる結果、光入力パワーのモニタ精度を向上して、出力されるモニタ値の誤差を抑制することが可能である。
【００３５】
［実施例１に係る光送受信装置の構成］
次に、図２を用いて、実施例１に係る光送受信装置の構成を説明する。図２は、実施例１に係る光送受信装置の構成を示す図である。
【００３６】
図２に示すように、光送受信装置１０は、受光部２０と、Ｉ／Ｖ変換部３０と、ＡＭＰ４０と、ＣＰＵ５０とを有し、接続される外部装置（ユーザ回路）からのモニタ値出力要求に応じて、入力される光入力パワーのモニタ値を出力する。
【００３７】
受光部２０は、光送受信装置１０に入力される光入力パワーを受け付ける。例えば、受光部２０は、光送受信装置１０に入力される光入力パワーの受光素子（ＰＤ）のバイアスに流れる電流（ＰＤ電流）を、ＴＩＡ（Trans‐Impedance  Amplifier）により検知するとともに増幅して電圧に変換する。なお、光送受信装置１０において、受光素子（ＰＤ）のバイアスは、ＰＤ制御電圧によって与えられており、当該光送受信装置１０に流れる電流（ＰＤ電流）は、受光部２０に入力される光の強度に応じて増減する。例えば、光の強度が強い場合には、ＰＤ電流が増加し、光の強度が弱い場合には、ＰＤ電流が減少する。
【００３８】
Ｉ／Ｖ変換部３０は、光送受信装置１０を流れる電流を電圧に変換し、ＡＭＰ４０は、Ｉ／Ｖ変換部３０によって変換された電圧を増幅する。例えば、Ｉ／Ｖ変換部３０は、光送受信装置１０においてバイアス回路に流れる入力される光入力パワーに応じて増減するＰＤ電流を電圧に変換し、ＡＭＰ４０は、Ｉ／Ｖ変換部３０によって変換されたＰＤ電流の電圧を増幅させる。
【００３９】
ＣＰＵ５０は、制御プログラム、各種の処理手順などを規定したプログラムおよび所要データを格納するための内部メモリを有するとともに、特に、ＥＥＰＲＯＭ５１と、ＥＥＰＲＯＭ５２と、切替制御部（ＳＷ）５３と、Ａ／Ｄ変換部５４と、補正処理部５５とを有し、これらによって種々の処理を実行する。
【００４０】
ＥＥＰＲＯＭ５１は、電気（電圧）の操作によってデータ消去／書き換えが可能な不揮発性メモリの一種であり、ユーザ回路が光の強度を演算するために必要な計算パラメタを記憶する。また、ＥＥＰＲＯＭ５２は、光送受信装置１０の装置調整時に制御回路動作において基準となる電圧源を示す基準電圧源より得られた基準電圧のデジタル値を補正データとして記憶する。
【００４１】
具体的には、ＥＥＰＲＯＭ５１、５２は、図３に示すように、メモリマップと呼ばれる番地００〜ＦＦまでの領域を有する。そして、各領域には、光送受信装置１０のシリアル番号や制御情報などが格納されている。例えば、ＥＥＰＲＯＭ５１は、図３に示すパラメタ設定エリア（計算パラメタの固定値）に計算パラメタを記憶している。また、ＥＥＰＲＯＭ５２は、図３に示すＡ／Ｄ値エリア（基準電圧をＡ／Ｄ変換した変動値）に補正データ「１２０」を記憶する。なお、図３は、ＥＥＰＲＯＭのデータ構造例を示す図である。
【００４２】
切替制御部５３は、ＡＭＰ４０によって増幅された電圧側、または、制御回路動作において基準となる電圧源を示す基準電圧源側のどちらか一方に接続を切り替える。例えば、切替制御部５３は、ユーザ回路からモニタ値出力要求を受け付けた場合に、基準電圧源側に接続を切り替える制御を行う。また、例えば、切替制御部５３は、後述する補正処理部５５によって変動量が算出された場合に、ＡＭＰ４０側に接続を切り替える制御を行う。なお、切替制御部５３に接続される基準電圧源は、周囲環境や後述するＡ／Ｄ変換部５４などに起因するモニタ値の変動を補正するのに利用するため、光送受信装置１０に入力される光入力パワーがモニタ仕様の最小値付近のＡＭＰ４０出力相当の値に設定される。
【００４３】
Ａ／Ｄ変換部５４は、切替制御部５３の接続が基準電圧源側に接続されている状態である場合に、基準電圧をデジタル値に変換する。例えば、Ａ／Ｄ変換部５４は、切替制御部５３によって基準電圧側に接続されている場合に、受け付けた基準電圧をＡ／Ｄ変換してデジタル値「１２１」を出力する。
【００４４】
また、Ａ／Ｄ変換部５４は、ＡＭＰ４０によって増幅された入力された光に対する電圧をデジタル値に変換する。例えば、Ａ／Ｄ変換部５４は、切替制御部５３の接続がＡＭＰ４０側に接続されている状態である場合に、ＡＭＰ４０によって増幅された入力された光に対する電圧をＡ／Ｄ変換してデジタル値「１５０」を出力する。
【００４５】
補正処理部５５は、Ａ／Ｄ変換部５４によって変換された基準電圧のデジタル値と、ＥＥＰＲＯＭ５２に記憶された補正データとの差分により出力特性の変動量を算出する。例えば、補正処理部５５は、Ａ／Ｄ変換部５４によって変換された基準電圧のデジタル値「１２１」と、ＥＥＰＲＯＭ５２に記憶された補正データ「１２１」との差分（基準電圧から補正データを減算）により出力特性の変動量「１」を算出する。
【００４６】
また、補正処理部５５は、Ａ／Ｄ変換部５４によって変換された電圧のデジタル値と、算出された変動量とに基づいて、Ａ／Ｄ変換部５４によって変換された電圧のデジタル値を補正し、接続されるユーザ回路にモニタ値として補正されたデジタル値を出力する。
【００４７】
例えば、補正処理部５５は、Ａ／Ｄ変換部５４によって変換された入力された光に対する電圧のデジタル値「１５０」と、算出された基準電圧源側の変動量「１」とに基づいて、変換された入力された光に対する電圧のデジタル値を補正して「１４９」を算出する。そして、補正処理部５５は、補正された入力された光に対する電圧のデジタル値「１４９」をモニタ値として、ＥＥＰＲＯＭ５１に記憶された計算パラメタとともに接続されるユーザ回路に出力する。つまり、補正処理部５５は、出力するモニタ値が変動量分「１」大きい値になっているために、当該変動量分「１」をＡＭＰ４０側から受け付けたＡ／Ｄ値「１５０」から減算して、モニタ値「１４９」を最終的な出力値として出力する。
【００４８】
［モニタ値補正タイミング］
次に、図４を用いて、実施例１に係る光送受信装置１０によって出力されるモニタ値補正処理のタイミングについて説明する。図４は、実施例１に係る光送受信装置１０によって出力されるモニタ値の補正タイミングの例について説明するための図である。なお、以下では、光送受信装置１０の調整時に取得された補正データを「Ｃｏｄｅ＿ＡＤＪ＝１２０」、基準電圧をＡ／Ｄ変換した値を「Ｃｏｄｅ＿Ｋ」、補正データと基準電圧をＡ／Ｄ変換した値との差分を「Ｃｏｄｅ＿ＫＳＩ」、入力された光の電圧に対してＡ／Ｄ変換された値を「Ｃｏｄｅ＿Ｓ」、出力されるモニタ値を「Ｃｏｄｅ＿ＯＵＴ」として説明する。
【００４９】
図４に示すように、光送受信装置１０は、接続されるユーザ回路からモニタ値出力要求を受け付けた場合に、ＥＥＰＲＯＭ５２に記憶された補正データ「Ｃｏｄｅ＿ＡＤＪ＝１２０」を取得する。そして、光送受信装置１０は、基準電圧源側に接続を切り替えて、受け付けた基準電圧をＡ／Ｄ変換して出力された値「Ｃｏｄｅ＿Ｋ＝１２１」を取得する。
【００５０】
続いて、光送受信装置１０は、取得した補正データ「Ｃｏｄｅ＿ＡＤＪ＝１２０」と、基準電圧をＡ／Ｄ変換した値「１２１」との差分「Ｃｏｄｅ＿Ｋ−Ｃｏｄｅ＿ＡＤＪ＝１」により出力特性の変動量「Ｃｏｄｅ＿ＫＳＩ＝１」を算出する。
【００５１】
その後、光送受信装置１０は、入力される光入力パワーのＰＤ電流側に接続を切り替えて、ＰＤ電流側をモニタし、入力された光の電圧に対してＡ／Ｄ変換された値「Ｃｏｄｅ＿Ｓ＝１５０」を取得する。
【００５２】
そして、光送受信装置１０は、取得された「Ｃｏｄｅ＿Ｓ＝１５０」と、算出された変動量「Ｃｏｄｅ＿ＫＳＩ＝１」とに基づいて、入力された光の電圧に対してＡ／Ｄ変換された値を補正する「Ｃｏｄｅ＿Ｓ−Ｃｏｄｅ＿ＫＳＩ＝１４９」。続いて、光送受信装置１０は、補正されたＡ／Ｄ値をモニタ値「Ｃｏｄｅ＿ＯＵＴ＝１４９」として、ＥＥＰＲＯＭ５１に記憶された計算パラメタとともに接続されるユーザ回路に出力する。
【００５３】
また、光送受信装置１０は、接続されるユーザ回路からモニタ値出力要求を受け付けた場合に、ＥＥＰＲＯＭ５２に記憶された補正データ「Ｃｏｄｅ＿ＡＤＪ＝１２０」を取得する。そして、光送受信装置１０は、基準電圧源側に接続を切り替えて、受け付けた基準電圧をＡ／Ｄ変換して出力された値「Ｃｏｄｅ＿Ｋ＝１２３」を取得する。
【００５４】
続いて、光送受信装置１０は、取得した補正データ「Ｃｏｄｅ＿ＡＤＪ＝１２０」と、基準電圧をＡ／Ｄ変換した値「１２３」との差分「Ｃｏｄｅ＿Ｋ−Ｃｏｄｅ＿ＡＤＪ＝３」により出力特性の変動量「Ｃｏｄｅ＿ＫＳＩ＝３」を算出する。
【００５５】
その後、光送受信装置１０は、入力される光入力パワーのＰＤ電流側に接続を切り替えて、ＰＤ電流側をモニタし、入力された光の電圧に対してＡ／Ｄ変換された値「Ｃｏｄｅ＿Ｓ＝３１２」を取得する。
【００５６】
そして、光送受信装置１０は、取得された「Ｃｏｄｅ＿Ｓ＝３１２」と、算出された変動量「Ｃｏｄｅ＿ＫＳＩ＝３」とに基づいて、入力された光の電圧に対してＡ／Ｄ変換された値を補正する「Ｃｏｄｅ＿Ｓ−Ｃｏｄｅ＿ＫＳＩ＝３０９」。続いて、光送受信装置１０は、補正されたＡ／Ｄ値をモニタ値「Ｃｏｄｅ＿ＯＵＴ＝３０９」として、ＥＥＰＲＯＭ５１に記憶された計算パラメタとともに接続されるユーザ回路に出力する。
【００５７】
つまり、光送受信装置１０は、モニタ値を出力するごとに、基準電圧源側におけるＡ／Ｄ値の変動量を算出し、算出された変動量をモニタ値の補正に利用している。
【００５８】
［実施例１に係るモニタ値出力までの処理］
次に、図５を用いて、実施例１に係る光送受信装置１０によるモニタ値出力までの処理手順を説明する。図５は、実施例１に係る光送受信装置１０によるモニタ値出力までの処理手順を説明するためのフローチャートである。
【００５９】
図５に示すように、光送受信装置１０は、接続されるユーザ回路からモニタ値出力要求を受け付けた場合に（ステップＳ１０１）、基準電圧源側に接続を切り替えて、基準電圧源の基準電圧をＡ／Ｄ変換して出力されたＡ／Ｄ値「１２１」を取得する（ステップＳ１０２）。
【００６０】
そして、光送受信装置１０は、基準電圧をＡ／Ｄ変換して出力したＡ／Ｄ値「１２１」を取得すると、ＥＥＰＲＯＭ５２に記憶された補正データ「１２０」を取得する（ステップＳ１０３）。続いて、光送受信装置１０は、Ａ／Ｄ変換された基準電圧のＡ／Ｄ値「１２１」と、取得された補正データ「１２０」との差分により出力特性の変動量「１」を算出する（ステップＳ１０４）。
【００６１】
その後、光送受信装置１０は、基準電圧源側からＡＭＰ４０側に接続を切り替えて、入力された光の強度により増減するＰＤ電流を電圧に変換して増幅させ、増幅された電圧をＡ／Ｄ変換して出力されたＡ／Ｄ値「１５０」を取得する（ステップＳ１０５）。
【００６２】
そして、光送受信装置１０は、Ａ／Ｄ変換して出力されたＡＭＰ４０側のＡ／Ｄ値「１５０」と、算出された基準電圧源側の変動量「１」とに基づいて、Ａ／Ｄ変換されたＡＭＰ４０側のＡ／Ｄ値を補正して「１４９」を算出する。続いて、光送受信装置１０は、補正されたＡ／Ｄ値「１４９」をモニタ値として、ＥＥＰＲＯＭ５１に記憶された計算パラメタとともに接続されるユーザ回路に出力する（ステップＳ１０６）。
【００６３】
なお、パラメタは、例えば、光送受信装置１０の調整時に、光入力パワーを複数回変更しつつ、Ａ／Ｄ変換して出力されたモニタ値の近似曲線を計算することによって求められる。
【００６４】
［実施例１による効果］
このように、光送受信装置１０は、当該光送受信装置１０の調整時に基準電圧をＡ／Ｄ変換して出力されたＡ／Ｄ値を補正データとして予め所定メモリに記憶し、接続される外部装置からモニタ値出力要求を受け付けた場合に、モニタ値出力要求を受け付けた時の基準電圧をＡ／Ｄ変換して出力されたＡ／Ｄ値と補正データとの差分により変動量を算出し、算出された変動量を用いて、入力される光入力パワーのＰＤ電流から得られるＡ／Ｄ値を補正し、補正されたＡ／Ｄ値をモニタ値として接続される外部装置に出力するので、光入力パワーのモニタ精度を向上して、出力されるモニタ値の誤差を抑制することが可能である。
【００６５】
例えば、光送受信装置１０は、当該光送受信装置１０の調整時に基準電圧をＡ／Ｄ変換して出力されたＡ／Ｄ値「１２０」を補正データとしてＥＥＰＲＯＭ５２に記憶する。そして、光送受信装置１０は、接続されるユーザ回路からモニタ値出力要求を受け付けた場合に、基準電圧源側に接続を切り替える。続いて、光送受信装置１０は、基準電圧源側に接続が切り替えられると、基準電圧源の基準電圧をＡ／Ｄ変換してＡ／Ｄ値「１２１」を取得する。その後、光送受信装置１０は、ＥＥＰＲＯＭ５２に記憶された補正データ「１２０」と、取得されたＡ／Ｄ値「１２１」との差分により出力特性の変動量「１」を算出する。そして、光送受信装置１０は、基準電圧源側から入力される光入力パワー側に接続を切り替える。続いて、光送受信装置１０は、入力された光の強度により増減するＰＤ電流を電圧に変換して増幅させ、増幅された電圧をＡ／Ｄ変換してＡ／Ｄ値「１５０」を取得する。その後、光送受信装置１０は、取得されたＡ／Ｄ値「１５０」と、算出された変動量「１」とに基づいて、取得されたＡ／Ｄ値「１５０」を補正して「１４９」を算出する。そして、光送受信装置１０は、補正された入力される光入力パワー側の電圧のＡ／Ｄ値「１４９」をモニタ値として、接続されるユーザ回路に出力する。この結果、光送受信装置１０は、周囲環境の温度変化やＡ／Ｄ変換部５４などに起因してモニタ値が変動する場合でも、光入力パワーのモニタ精度を向上して、出力されるモニタ値の誤差を抑制することが可能である。
【００６６】
また、光送受信装置１０は、接続される基準電圧源を、入力される光入力パワーがモニタ仕様の最小値付近のＡＭＰ４０出力相当の値に設定するので、より精度の高いモニタ値出力の誤差補正を実施することが可能である。
【実施例２】
【００６７】
さて、これまで本発明の実施例について説明したが、本発明は上述した実施例以外にも
種々の異なる形態にて実施されてよいものである。そこで、（１）光送受信装置の構成、（２）モニタ値の補正において異なる実施例を説明する。
【００６８】
（１）光送受信装置の構成
上記文書中や図面中で示した処理手順、制御手順、具体的名称、各種のデータやパラメタを含む情報（例えば、図２に示したような「ＥＥＰＲＯＭ５１」、「ＥＥＰＲＯＭ５２」に記憶される各種データやパラメタを含む情報）については、特記する場合を除いて任意に変更することができる。
【００６９】
また、図示した各装置の各構成要素は機能概念的なものであり、必ずしも物理的に図示の如く構成されていることを要しない。すなわち、各装置の分散・統合の具体的形態は図示のものに限られず、例えば、切替制御部５３とＡ／Ｄ変換部５４とをＣＰＵ５０の外部に配置するなど、その全部または一部を、各種の負担や使用状況などに応じて、任意の単位で機能的または物理的に分散・統合することができる。さらに、各装置にて行われる各処理機能は、その全部または任意の一部が、ＣＰＵおよび当該ＣＰＵにて解析実行されるプログラムにて実現され、あるいは、ワイヤードロジックによるハードウェアとして実現され得る。
【００７０】
（２）モニタ値の補正
また、上記実施例１では、基準電圧のＡ／Ｄ値から補正データを減算することにより変動量を算出し、出力するＡ／Ｄ値から変動量を減算して補正したモニタ値を出力する場合を説明したが、本発明はこれに限定されるものではなく、算出される変動量の正負により出力するＡ／Ｄ値を補正することもできる。例えば、光送受信装置は、算出された変動量が正の場合に、出力するＡ／Ｄ値から変動量を減算して補正し、算出された変動量が負の場合に、出力するＡ／Ｄ値から変動量を加算して補正する。
【図面の簡単な説明】
【００７１】
【図１】実施例１に係る光送受信装置の概要を示す図である。
【図２】実施例１に係る光送受信装置の構成を示す図である。
【図３】ＥＥＰＲＯＭのデータ構造例を示す図である。
【図４】実施例１に係る光送受信装置によって出力されるモニタ値の補正タイミングの例について説明するための図である。
【図５】実施例１に係る光送受信装置によるモニタ値出力までの処理手順を説明するためのフローチャートである。
【図６】従来技術に係る光送受信装置の構成例を示す図である。
【図７】従来技術に係る光入力パワーモニタの調整を説明するための図である。
【図８】従来技術に係る光入力パワーモニタの運用を説明するための図である。
【図９】従来技術に係るモニタ値の誤差を説明するための図である。
【符号の説明】
【００７２】
１０  光送受信装置
２０  受光部
３０  Ｉ／Ｖ変換部
４０  ＡＭＰ
５０  ＣＰＵ
５１、５２  ＥＥＰＲＯＭ
５３  切替制御部（ＳＷ）
５４  Ａ／Ｄ変換部
５５  補正処理部
【図１】
2009290022.tif 000004
【図２】
2009290022.tif 000005
【図３】
2009290022.tif 000006
【図４】
2009290022.tif 000007
【図５】
2009290022.tif 000008
【図６】
2009290022.tif 000009
【図７】
2009290022.tif 000010
【図８】
2009290022.tif 000011
【図９】
2009290022.tif 000012